(57)【特許請求の範囲】
【請求項１】
昇降路内でメインロープを固定する方法において、
メインロープを把持する把持機構が設けられた支持梁をガイドレールに吊り下げ、
前記ガイドレールに固定可能であって、かつ前記支持梁の両端部に係合して前記支持梁を左右方向に移動可能にかつ前後方向に移動不能に案内するガイド溝を有する前後振れ止めと、左右方向に位置調節可能に前記支持梁に取り付けられ、前記支持梁を左右方向に移動不能に前記ガイドレールに対して位置決めする左右振れ止めとを有している位置決め手段を用いて、前記支持梁を前記ガイドレールに前後方向および左右方向に移動不能に固定し、
前記支持梁に設けられた把持機構を用いて前記メインロープを固定する
ことを特徴とする、メインロープの固定方法。
【請求項２】
メインロープを把持する把持機構が設けられた支持梁と、
前記支持梁を、ガイドレールに前後方向に移動不能かつ左右方向に移動不能に位置決めする位置決め手段と、
前記支持梁に設けられ、前記支持梁を吊り下げ具により吊り下げることを可能とする吊り金具と、
を備え、
前記位置決め手段は、
前記ガイドレールに固定可能であって、かつ前記支持梁の両端部に係合して前記支持梁を左右方向に移動可能にかつ前後方向に移動不能に案内するガイド溝を有する前後振れ止めと、
左右方向に位置調節可能に前記支持梁に取り付けられ、前記支持梁を左右方向に移動不能に前記ガイドレールに対して位置決めする左右振れ止めと、
を有していることを特徴とする、メインロープ把持装置。
【請求項３】
前記吊り金具の前後方向位置が、前記把持機構により把持されるメインロープの前後方向位置と一致していることを特徴とする、請求項２に記載のメインロープ把持装置。
【請求項４】
前記把持機構のメインロープ把持部に樹脂製の板が着脱可能に取り付けられていることを特徴とする、請求項２に記載のメインロープ把持装置。
【発明の詳細な説明】
【０００１】
【発明の属する技術分野】
本発明は、エレベータのメインロープ（主索）の設置時または交換時に、メインロープを昇降路内で把持して固定するメインロープ把持装置、並びにメインロープの固定方法に関する。
【０００２】
【従来の技術】
図６は、エレベータのメインロープを交換する作業時の状態を示す図である。図６において、符号１は建屋内に設けられた昇降路であり、この昇降路１の上端部に機械室２が設けられ、機械室２内には巻上機３が設置されている。
【０００３】
巻上機３のトラクションシーブ３ａには複数本のメインロープ４が巻き掛けられている。このメインロープ４は昇降路１内に引き下げられ、その一端に乗りかご５が、他端にカウンターウエイト６がそれぞれ取り付けられている。これら乗りかご５とカウンターウエイト６は、巻上機３を駆動することにより昇降路１内で昇降する。なお、符号７はメインロープ４を巻上機３からそらすためのそらせシーブである。
【０００４】
メインロープ４の交換時には、乗りかご５を昇降路１内の上部に上昇させ、その乗りかご５をチェーンブロック１０を用いて支持するとともに、カウンターウエイト６をピット１１に設置した梁部材１２を介して支持する。また、上昇した乗りかご５とほぼ同じ高さの位置において昇降路１内にロープ把持装置１３を設け、このロープ把持装置１３にメインロープ４の途中を把持して固定する。
【０００５】
そして、把持装置１３の直上の部分でメインロープ４を切断するなどして、旧のメインロープ４を撤去する。そして、新のメインロープ４ａを巻上機３およびそらせシーブ７を通して乗りかご５とカウンターウエイト６との間に掛け渡し、これにより新旧のメインロープ４，４ａの交換が完了する。
【０００６】
図７（ａ），（ｂ）に従来のロープ把持装置１３を示す。図７（ａ），（ｂ）において、符号１４はカウンターウエイト６用のガイドレールであり、これらガイドレール１４にそれぞれブラケット１５が締結具１６を介して取り付けられ、これらブラケット１５間に支持梁１７がねじ部材１８を介して、水平に取り付けられるようになっている。
【０００７】
把持装置１３は、支持梁１７の側面に締結具１９により固定されるロープ固定板２０と、このロープ固定板２０に締結具９および平座金２１、ばね座金２２、ナット２３を介して固定されるロープクリップ２４とを備え、ロープ固定板２０とロープクリップ２４とでメインロープ４を挟み、ナット２３を締め付けてそのメインロープ４を強固に把持して固定するようになっている。
【０００８】
ところが、このような従来のロープ把持装置１３においては、固定板２０で把持したメインロープ４の重量をブラケット１５で支持しなければならず、締結具１６の留め方に不具合があると、把持装置１３を昇降路内下部に落下させて不測の危険を招く恐れがある。
【０００９】
また、メインロープの直径は様々で、従来のロープ把持装置１３においては、ロープ径毎に固定板２０を用意しなければならない。
【００１０】
【発明が解決しようとする課題】
本発明は上記実状に鑑みなされたもので、その目的とするところは、安全にメインロープを固定できる方法を提供するとともに、メインロープを安全に把持固定することができる装置を提供することにある。
【００１１】
【課題を解決するための手段】
上記目的を達成するため、本発明は、昇降路内でメインロープを固定する方法において、メインロープを把持する把持機構が設けられた支持梁をガイドレールに吊り下げ、前記ガイドレールに固定可能であって、かつ前記支持梁の両端部に係合して前記支持梁を左右方向に移動可能にかつ前後方向に移動不能に案内するガイド溝を有する前後振れ止めと、左右方向に位置調節可能に前記支持梁に取り付けられ、前記支持梁を左右方向に移動不能に前記ガイドレールに対して位置決めする左右振れ止めとを有している位置決め手段を用いて、前記支持梁を前記ガイドレールに前後方向および左右方向に移動不能に固定し、前記支持梁に設けられた把持機構を用いて前記メインロープを固定することを特徴としている。
【００１２】
また、本発明によるメインロープ把持装置は、メインロープを把持する把持機構が設けられた支持梁と、前記支持梁を、ガイドレールに前後方向に移動不能かつ左右方向に移動不能に位置決めする位置決め手段と、前記支持梁に設けられ、前記支持梁を吊り下げ具により吊り下げることを可能とする吊り金具と、を備え、前記位置決め手段は、前記ガイドレールに固定可能であって、かつ前記支持梁の両端部に係合して前記支持梁を左右方向に移動可能にかつ前後方向に移動不能に案内するガイド溝を有する前後振れ止めと、左右方向に位置調節可能に前記支持梁に取り付けられ、前記支持梁を左右方向に移動不能に前記ガイドレールに対して位置決めする左右振れ止めと、を有していることを特徴とするものである。
【００１３】
【発明の実施の形態】
以下、本発明の実施の形態について図１乃至図５を参照して説明する。
【００１４】
メインロープ把持装置３０は、メインロープ４を把持する複数の把持機構４４が設けられた支持梁３５と、支持梁３５カウンターウエイト用のガイドレール１４に前後方向（図１の紙面に対して垂直な方向）および左右方向（図１の左右方向）に移動不能に位置決めする位置決め手段としての前後振れ止め３４および左右振れ止め３７と、支持梁３５に設けられるとともに支持梁３５をチェーンブロック３３等の吊り下げ具により吊り下げることを可能とする吊り金具３６と、を有している。
【００１５】
次に、上記各構成要素の詳細を説明しつつメインロープ把持装置３０の使用手順について説明する。
【００１６】
メインロープ４交換時には、先に従来技術の項で説明したように（図６参照）、乗りかご５を昇降路１の上部に上昇させ、その状態で乗りかご５をチェーンブロック等の吊り下げ具を用いて機械室２側から乗りかご５を吊り下げるとともに、カウンターウエイト６をピット１１に設置した梁部材１２を介して支持する。
【００１７】
次に、乗りかご５とほぼ同じ高さの位置にメインロープ把持装置３０の支持梁３５が位置するように、メインロープ把持装置３０をカウンターウエイト６用のガイドレール１４に吊る。図１を参照して詳細述べると、まず、ガイドレール１４の継ぎ目部分の背面に設けられた目板３１に、シャックル５３を介して玉掛けワイヤ３２を掛ける。次に、玉掛けワイヤ３２にチェーンブロック３３を掛ける。そして、支持梁３５に固定された吊り金具３６の穴３６ａに取り付けられたシャックル５４を介してチェーンブロックのフック３３ａを掛けて、支持梁３５を吊る。
【００１８】
次に、図３に示すように、前後振れ止め３４をガイドレール１４の背面に当接させるとともに、前後振れ止め３４に形成されたスリット３４ｂに支持梁３５を挿入する。この状態で、前後振れ止め３４をガイドレール１４に固定する。前後振れ止め３４の固定に際しては、ガイドレール１４の基部の形状と合致するように切り欠かれた特殊形状の頭部３９ａを有するボルト３９を用いる（図２参照）。図３に示すように前後振れ止め３４には位置調整用の長孔３４ａが形成されている。ボルト３９は長孔３４ａに挿入され、ナット４０がボルト３９に締め付けられる。前後振れ止め３４に長孔３４ａがあるため、ガイドレール１４に対する前後振れ止め３４の固定位置を調整することができ、支持梁３５が位置決めされる位置を前後方向（図３の左右方向）に関して調整することができる。
【００１９】
前後振れ止め３４をガイドレール１４の所定の位置に固定したら、次に、支持梁３５の位置を左右方向に関して調整して、その後、支持梁３５に予め装着してある左右振れ止め３７により支持梁３５の位置決めを行う。
【００２０】
左右振れ止め３７はＬ字型ブラケットの形状となっており、互いに直交する２つの面３７ａ、３７ｂを有している。支持梁３５に当接する左右振れ止め３７の面３７ｂには穴が形成されており、この穴にはボルト４１が通されている。ボルト４１は、支持梁３５に形成された長孔３５ａを貫通して延びており、ボルト４１の先端部にはダブルナット４３が結合されている。ダブルナット４３は、ボルト４１、ナット４１ａおよび左右振れ止め３７が支持梁３５から脱落することを防止する。
【００２１】
ボルト４１のねじ部の中央には、フランジ付きナット４１ａが螺合している。フランジ付きナット４１ａの六角形の頭部の二面幅は、長孔３５ａの幅より僅かに小さくなっている。従って、ボルト４１を緩めた状態においては、ボルト４１、ナット４１ａおよび左右振れ止め３７からなる組立体は、長孔３５ａにガイドされスムースに移動できる。また、フランジ付きナット４１ａは回転できないため、ボルト４１の締め付けおよび緩めが容易に行える。
【００２２】
支持梁３５の位置を左右方向に関して調整したら、支持梁３５をその位置に保持したままで左右振れ止め３７を長孔３５ａに沿ってスライドさせ、左右振れ止め３７の面３７を前後振れ止め３４に当接させる。この状態でボルト４１を締め付けることにより、左右振れ止め３７が支持梁３５に固定され、支持梁３５は左右方向に関して位置決めされる。
【００２３】
以上により、メインロープ把持装置３０の設置が終了する。なお、このとき支持梁３５が落下しないように支えているのは言うまでもなくチェーンブロック３３であり、前後振れ止め３４および左右振れ止め３７は支持梁３５が揺れないように位置決めしているのみである。
【００２４】
また、このとき、図２に示すように、各把持機構４４に把持されたメインロープ４の中心と吊り金具３６の穴３６ａの中心がほぼ同一直線上に位置している。言い換えれば、吊り金具３６は、このような関係が成立するような位置に設けられている。このため、メインロープ４を把持機構４４にセットする際の作業を
容易に行うことができるようになっている。
【００２５】
メインロープ把持装置３０の設置が終了したら、支持梁３５に設けられた複数の把持機構４４に、旧の（交換対象の）メインロープ４を一本ずつ固定する。
【００２６】
図４および図５に示すように、各把持機構４４は、対をなす第１および第２の把持板４５，４６を有している。これら把持板４５，４６はステンレス鋼、鋼鉄、アルミニウム合金等の金属材料により形成されている。第１の把持板４５は、図４において頭部のみが見えているボルト４９により支持梁３５に固定されている。
【００２７】
第１および第２の把持板４５，４６にはそれぞれ断面Ｖ字状の凹溝４５ａ，４６ａが形成されている。メインロープ４は、互いに対向する第２の把持板４６の凹溝４６ａおよび第１の把持板４５の凹溝４５ａの間に通される。第１の把持板４５と第２の把持板４６とは、図４および図５に示すように、メインロープ４を挟み込んだ状態で、第１の把持板４５に形成された貫通孔に挿通されるとともに第２の把持板に形成された穴５０表面に形成された雌ねじに螺合する４つのボルト５１ａ，５１ａ，５１ａ，５１ｂにより結合され、これにより把持機構４４にメインロープ４が固定される。
【００２８】
なお、凹溝４５ａ，４６ａの各表面には、樹脂プレート４７が皿ねじ４８により取り付けられており、これによりメインロープ４の損傷を防止している。また、皿ねじ４８を外すことにより樹脂プレート４７は取り外し可能であり、メインロープ４の径に応じて適当な厚さの樹脂プレート４７に交換することにより、このメインロープ把持装置３０を異なるタイプのエレベータのメインロープの交換作業に用いることができる。
【００２９】
ボルト５１ａには、ボルト５１ａが第１の把持板４５から脱落することを防止するためのナット５２が螺合している。ボルト５１ｂの長さは、他のボルト５１ａの長さより長い。ボルト５１ｂの先端には、４つのボルト５１ａ，５１ａ，５１ａ，５１ｂと第２の把持板４６との螺合が解除されている場合にも、ボルト５１ｂが第１の把持板４５および第２の把持板４６から分離することを防止するためのダブルナット５２ａが螺合している。
【００３０】
なお、以上より理解できるように、把持機構４４を意図的に分解しようとしない限り、すなわち通常の作業を行っている限りにおいては、把持板４５，４６やボルト５１ａ，５１ｂが支持梁３５から分離することはない。このため、作業を容易に行うことが可能となるとともに、部品落下等による事故を防止することができる。
【００３１】
４つのボルト５１ａ，５１ａ，５１ａ，５１ｂと第２の把持板４６との螺合を解除すると、第１の把持板４５および第２の把持板４６はボルト５１ｂのみを介して連結された状態となるため、第２の把持板４６をボルト５１ｂを中心として回動させることができるようになる（図４の矢印Ｂ参照）。また、ボルト５１はダブルナット５２が支持梁３５に当たるまで、図５矢印Ａ方向に引き出すことができるため、第１の把持板４５も図４矢印Ａ方向に大きく移動させることができる。従って、第１の把持板４５と第２の把持板４６との間にメインロープ４をセットする際に、第２の把持板４６が邪魔することがなく、メインロープ４を容易に引き込むことができる。
【００３２】
第１の把持板４５と第２の把持板４６との間にメインロープ４をセットした後、ボルト５１ａ，５１ｂを第２の把持板４６の穴５０にねじ込み、かつ均等に締め付けて第１の把持板と４５と第２の把持板４６の凹部４５ａ，４６ａでメインロープ４を挟着把持して固定する。
【００３３】
支持梁３５にはメインロープの本数に対応する数だけ把持機構４４が設けられているから、残りのメインロープ４も同様な手順でその対応する把持機構４４により挟着把持して固定する。
【００３４】
全メインロープ４の固定が終了したら、従来と同様に、メインロープ把持装置３０の直上の部分でメインロープ４を切断するなどして、旧のメインロープ４を撤去する。そして、新のメインロープ４ａを巻上機３およびそらせシーブ７を通して乗りかご５とカウンターウエイト６との間に掛け渡し、これにより新旧のメインロープ４，４ａの交換が完了する。
【００３５】
以上説明したように、上記実施形態によれば、メインロープ４の重量をチェーンブロック３３で支えるため、支持梁３５を落下させるような恐れがなく、安全に作業を行うことができる。
【００３６】
また、前後振れ止め３４、左右振れ止め３７を設けることで、メインロープ４の把持作業および解除作業を行う際に支持梁３５が振れることがなく、したがって安全かつ容易にメインロープの把持および解除作業を行うことができる。
【００３７】
また、把持板４５，４６の凹溝４５ａ，４６ａに樹脂プレート４７を取り付けることで、メインロープ４の損傷を防止できると共に、厚さの異なる樹脂プレート４７を用意することで、異なるロープ径に対しても共通の把持板４５，４６を使用することができる。
【００３８】
また、把持機構４４の構成部品が、通常の操作では互いに分離しないように予め支持梁３５に組み付けられているため、メインロープ４を把持する作業時やその把持を解く作業時にこれらの構成部品を落下させるような危険がなく、メインロープ４の把持およびその解除の作業も容易に効率よく行うことができる。
【００３９】
なお、上記のメインロープの固定方法およびメインロープの把持装置は、メインロープを交換する場合に限らず、メインロープを新規に設置したりエレベータのメンテナンスを行う際等において、メインロープを固定する必要が生じた場合には適宜用いることができる。
【００４０】
【発明の効果】
本発明によれば、メインロープを安全に固定することができる。
【図面の簡単な説明】
【図１】本発明によるメインロープ把持装置を示す正面図。
【図２】図１に示すロープ把持装置の平面図。
【図３】図２におけるIII−III断面を示す図であって左右振れ止めおよび前後振れ止めの構成の構成を示す図。
【図４】図２に示す複数の把持機構の１つを図２の矢印IV方向から見た正面図。
【図５】図４におけるV−V断面を示す図であって、把持機構の構成を示す図。
【図６】エレベータのメインロープを交換するときの状況を示す側面図。
【図７】従来のロープ把持装置の構造を示す斜視図。
【符号の説明】
１  昇降路
４  メインロープ
５  乗りかご
６  カウンターウエイト
１４  ガイドレール
３３  吊り下げ具（チェーンブロック）
３０  メインロープ把持装置
３５  支持梁
３４，３７  位置決め手段
３４  前後振れ止め
３４ｂ  ガイド溝（スリット）
３６  吊り金具
３７  左右振れ止め
４４  把持機構
４５ａ，４６ａ  メインロープ把持部（凹溝）
４７  樹脂製の板（樹脂プレート）
【図１】
0004921660.tif 000002
【図２】
0004921660.tif 000003
【図３】
0004921660.tif 000004
【図４】
0004921660.tif 000005
【図５】
0004921660.tif 000006
【図６】
0004921660.tif 000007
【図７】
0004921660.tif 000008